【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
被写体像を光電変換することにより画像データを得る撮像素子を備え、複数回の撮影により得られる複数の画像データを合成した画像データを生成する多重撮影モードを有する撮像装置であって、
前記多重撮影モードで撮影された撮影済み画像データの画素値のヒストグラムを演算する第１の演算手段と、
前記第１の演算手段で演算された前記撮影済み画像データのヒストグラムと、前記撮像素子により取り込まれた撮影前画像データのヒストグラムとを合成した合成ヒストグラムを演算する第２の演算手段と、を備えることを特徴とする撮像装置。
【請求項２】
被写体像を光電変換することにより画像データを得る撮像素子を備え、複数回の撮影により得られる複数の画像データを合成した画像データを生成する多重撮影モードを有する撮像装置であって、
撮影ごとに画像データを合成した画像データを生成する生成手段と、
前記生成手段によって生成された合成画像データの画素値のヒストグラムを演算する第１の演算手段と、
前記第１の演算手段による演算により得られたヒストグラムと、前記撮像素子により取り込まれた撮影前画像データのヒストグラムとを合成した合成ヒストグラムを演算する第２の演算手段と、を備えることを特徴とする撮像装置。
【請求項３】
前記撮像素子により取り込まれた撮影前画像データと、前記複数の画像データを合成した画像データと、前記第２の演算手段により演算されたヒストグラムとを表示する表示手段を更に備えることを特徴とする請求項１又は２に記載の撮像装置。
【請求項４】
前記第１及び第２の演算手段は、前記撮像素子により取り込まれる画像データより少ない画素数の画素値を用いてヒストグラムを演算することを特徴とする請求項１乃至３のいずれか１項に記載の撮像装置。
【請求項５】
前記多重撮影モードとは異なる通常撮影のモードにおいて画素値のヒストグラムを表示する際には、前記撮像素子により取り込まれた画像データを全て使用して演算したヒストグラムを表示することを特徴とする請求項４に記載の撮像装置。
【請求項６】
前記多重撮影モードによる撮影を終了した後に前記多重撮影モードでの撮影により得られた多重合成画像を再生して表示する際には、前記撮像素子により取り込まれた画像データを全て使用して演算したヒストグラムを表示することを特徴とする請求項４または５に記載の撮像装置。
【請求項７】
撮影ごとに前記第１の演算手段により演算されたヒストグラムを記録する記録手段を更に有することを特徴とする請求項１乃至６のいずれか１項に記載の撮像装置。
【請求項８】
前記多重撮影モードによる撮影の指示を受け付ける受付手段を更に有し、
前記撮影前画像データは、前記受付手段で前記撮影の指示を受け付ける前に前記撮像素子により取り込まれた画像データであることを特徴とする請求項１乃至７のいずれか１項に記載の撮像装置。
【請求項９】
被写体像を光電変換することにより画像データを得る撮像素子を備え、複数回の撮影により得られる複数の画像データを合成した画像データを生成する多重撮影モードを有する撮像装置の制御方法であって、
前記多重撮影モードで撮影された撮影済み画像データの画素値のヒストグラムを演算する第１の演算ステップと、
前記第１の演算ステップで演算された前記撮影済み画像データのヒストグラムと、前記撮像素子により取り込まれた撮影前画像データのヒストグラムとを合成した合成ヒストグラムを演算する第２の演算ステップと、を備えることを特徴とする制御方法。
【請求項１０】
被写体像を光電変換することにより画像データを得る撮像素子を備え、複数回の撮影により得られる複数の画像データを合成した画像データを生成する多重撮影モードを有する撮像装置の制御方法であって、
撮影ごとに画像データを合成した画像データを生成する生成ステップと、
前記生成ステップで生成された合成画像データの画素値のヒストグラムを演算する第１の演算ステップと、
前記第１の演算ステップでの演算により得られたヒストグラムと、前記撮像素子により取り込まれた撮影前画像データのヒストグラムとを合成した合成ヒストグラムを演算する第２の演算ステップと、を備えることを特徴とする制御方法。
【請求項１１】
コンピュータを、請求項１乃至８のいずれか１項に記載された撮像装置の各手段として機能させるプログラム。
【請求項１２】
コンピュータを、請求項１乃至８のいずれか１項に記載された撮像装置の各手段として機能させるプログラムを格納したコンピュータ読取可能な記憶媒体。
【手続補正２】
【補正対象書類名】明細書
【補正対象項目名】０００５
【補正方法】変更
【補正の内容】
【０００５】
上記目的を達成するため、本発明の撮像装置は、被写体像を光電変換することにより画像データを得る撮像素子を備え、複数回の撮影により得られる複数の画像データを合成した画像データを生成する多重撮影モードを有する撮像装置であって、前記多重撮影モードで撮影された撮影済み画像データの画素値のヒストグラムを演算する第１の演算手段と、前記第１の演算手段で演算された前記撮影済み画像データのヒストグラムと、前記撮像素子により取り込まれた撮影前画像データのヒストグラムとを合成した合成ヒストグラムを演算する第２の演算手段と、を備える。
【手続補正３】
【補正対象書類名】明細書
【補正対象項目名】０００６
【補正方法】変更
【補正の内容】
【０００６】
また、本発明の撮像装置は、被写体像を光電変換することにより画像データを得る撮像素子を備え、複数回の撮影により得られる複数の画像データを合成した画像データを生成する多重撮影モードを有する撮像装置であって、撮影ごとに画像データを合成した画像データを生成する生成手段と、前記生成手段によって生成された合成画像データの画素値のヒストグラムを演算する第１の演算手段と、前記第１の演算手段による演算により得られたヒストグラムと、前記撮像素子により取り込まれた撮影前画像データのヒストグラムとを合成した合成ヒストグラムを演算する第２の演算手段と、を備える。
【手続補正４】
【補正対象書類名】明細書
【補正対象項目名】０００７
【補正方法】変更
【補正の内容】
【０００７】
また、本発明の撮像装置の制御方法は、被写体像を光電変換することにより画像データを得る撮像素子を備え、複数回の撮影により得られる複数の画像データを合成した画像データを生成する多重撮影モードを有する撮像装置の制御方法であって、前記多重撮影モードで撮影された撮影済み画像データの画素値のヒストグラムを演算する第１の演算ステップと、前記第１の演算ステップで演算された前記撮影済み画像データのヒストグラムと、前記撮像素子により取り込まれた撮影前画像データのヒストグラムとを合成した合成ヒストグラムを演算する第２の演算ステップと、を備える。
【手続補正５】
【補正対象書類名】明細書
【補正対象項目名】０００８
【補正方法】変更
【補正の内容】
【０００８】
また、本発明の撮像装置の制御方法は、被写体像を光電変換することにより画像データを得る撮像素子を備え、複数回の撮影により得られる複数の画像データを合成した画像データを生成する多重撮影モードを有する撮像装置の制御方法であって、撮影ごとに画像データを合成した画像データを生成する生成ステップと、前記生成ステップで生成された合成画像データの画素値のヒストグラムを演算する第１の演算ステップと、前記第１の演算ステップでの演算により得られたヒストグラムと、前記撮像素子により取り込まれた撮影前画像データのヒストグラムとを合成した合成ヒストグラムを演算する第２の演算ステップと、を備える。